(57)【要約】【課題】楽器全体のデザインを損なうことなく、リアルな音を放音することができる電子鍵盤楽器を提供すること。【解決手段】楽器筐体２と、楽器筐体２の前部に配置された鍵盤１１と、鍵盤１１の操作に応じて電気信号を供給する音源と、外装面である、楽器筐体２の屋根板１０の上面１０ａの一部として設けられた右振動板１６および左振動板１７と、各振動板１６，１７の裏面に設けられた右トランスデューサおよび左トランスデューサとを備えており、各トランスデューサは、音源から供給される電気信号に応じた振動を発生し、その振動を対応する各振動板に裏面から伝達する。これにより、各振動板が振動し、電気信号に応じた音を放音する。【選択図】図１
2020016670.tif 000002
【特許請求の範囲】
【請求項１】
楽器筐体と、
前記楽器筐体の前部に配置された鍵盤と、
前記鍵盤の操作に応じて電気信号を供給する音源と、
前記楽器筐体の外装面の一部を構成する振動板と、
前記振動板の裏面に設けられており、前記音源から供給される前記電気信号に応じた振動を発生し、その振動を前記振動板に裏面から伝達する振動発生部と、を備えており、
前記振動板が、前記振動発生部から伝達される振動によって振動し、前記電気信号に応じた音を放音することを特徴とする電子鍵盤楽器。
【請求項２】
前記外装面は、前記楽器筐体のうち、屋根板の上面であることを特徴とする請求項１に記載の電子鍵盤楽器。
【請求項３】
前記外装面は、前記楽器筐体のうち、演奏者と対向する面であることを特徴とする請求項１に記載の電子鍵盤楽器。
【請求項４】
前記楽器筐体は、前記鍵盤を覆う鍵盤蓋を含んでおり、
前記鍵盤蓋は後端を回動軸として開閉する構造であり、
前記外装面は、前記鍵盤蓋が開いた状態において演奏者と対向する面であることを特徴とする請求項１に記載の電子鍵盤楽器。
【請求項５】
前記振動板は、前記外装面を薄肉に形成したものであることを特徴とする請求項１ないし請求項４のいずれか１項に記載の電子鍵盤楽器。
【請求項６】
前記外装面に開口部が形成されており、
前記振動板が前記開口部を覆って設けられていることを特徴とする請求項１ないし請求項４のいずれか１項に記載の電子鍵盤楽器。
【請求項７】
前記外装面は木材により形成されており、
前記振動板は前記木材よりも音響インピーダンスが高い材料により形成されていることを特徴とする請求項６に記載の電子鍵盤楽器。
【請求項８】
前記振動板の表面が、その周囲と同じデザインの膜によって被覆されていることを特徴とする請求項６または請求項７に記載の電子鍵盤楽器。
【請求項９】
前記振動板の裏面には、前記振動板を跨いで取付部材が取付けられており、
前記振動発生部は前記取付部材に取付けられていることを特徴とする請求項１ないし請求項８のいずれか１項に記載の電子鍵盤楽器。
【請求項１０】
前記振動板は、高音域の音を放音することを特徴とする請求項１ないし請求項９のいずれか１項に記載の電子鍵盤楽器。
【発明の詳細な説明】
【技術分野】
【０００１】
この発明は、鍵盤の操作に応じて音源から供給される電気信号を音に変換する電子鍵盤楽器に関し、特に、コーンスピーカを用いるかわりに楽器筐体の外装から放音することにより、リアルな音を再現することができる電子鍵盤楽器に関する。
【背景技術】
【０００２】
従来、この種のコーンスピーカの代用物を用いる電子鍵盤楽器としては、鍵盤と、音源装置と、高音用スピーカとが収容された楽器筐体と、この楽器筐体の底部に配置された棚板と、この棚板の下面に固定された加振器とを備えたものが知られている。音源装置は鍵盤による演奏に基づいて電気信号を出力し、その電気信号はアンプによって増幅され、その増幅された電気信号は加振器に供給される。そして、加振器が棚板を振動させ、棚板が響板として音を出す（特許文献１）。
【先行技術文献】
【特許文献】
【０００３】
【特許文献１】特開２００８―２９２７３８号公報（要約書、図１）。
【発明の概要】
【発明が解決しようとする課題】
【０００４】
しかし、上述した従来の電子鍵盤楽器は、アコースティック楽器が有する弦振動が楽器筐体に伝わり、楽器筐体が振動して音を出すという原理に基づく発想を用いたものであるが、本来、楽器筐体が振動する事の無い電子鍵盤楽器の棚板を振動させる構造であるため、リアルな音を放音することは困難であった。
特に、肉厚な棚板で高音域の音を再現することが困難であった。さらに、棚板の下面に加振器が固定されているため、高音域の音を奏者に向けて届けることが困難であった。
なお、高音域の音を放音するコーンスピーカを楽器筐体に外付けする構成も従来から用いられているが、アコースティック楽器のデザインを模倣したい場合、このコーンスピーカが観察される位置にあるということは楽器全体のデザインを損なう。かといって、上記コーンスピーカを楽器筐体の内部に設け、トーンエスケープ（穴部）を設けて音を外部に放出する構成を取ると、音が直接的に放出されないため、特に高音部の音品質を損なっていた。
【０００５】
そこで、この発明は、上記の諸問題を解決するために提案されたものであって、楽器全体のデザインを損なうことなく、リアルな音を放音することができる電子鍵盤楽器を提供することを目的とする。
【課題を解決するための手段】
【０００６】
上述した目的を達成するため、この出願に係る発明の電子鍵盤楽器は、楽器筐体と、楽器筐体の前部に配置された鍵盤と、鍵盤の操作に応じて電気信号を供給する音源と、楽器筐体の外装面の一部を構成する振動板と、振動板の裏面に設けられた振動発生部と、を備えており、振動発生部は音源から供給される電気信号に応じた振動を発生し、その振動を振動板に裏面から伝達し、振動板が、振動発生部から伝達される振動によって振動し、電気信号に応じた音を放音するという第１の特徴を備える。
【０００７】
上述したように、この出願に係る発明の電子鍵盤楽器は、電気信号に応じた音を放音する振動板が、楽器筐体の外装面の一部として設けられているため、楽器全体のデザインを損なうことなく、リアルな音を放音することができる。
しかも、振動板は面で振動するため、点音源と比較して音源からの距離に応じた音の減衰が少ないので、効率良く音を奏者や聴衆に届けることができる。
【０００８】
また、この出願に係る発明の電子鍵盤楽器は、振動板が一部を構成する外装面は屋根板の上面であることを第２の特徴とする。
つまり、屋根板の上面の一部として設けられた振動板から放音するため、広がりのある音を放音することができる。
しかも、楽器筐体にトーンエスケープを形成する必要がない。
【０００９】
また、この出願に係る発明の電子鍵盤楽器は、振動板が一部を構成する外装面は演奏者と対向する面であることを第３の特徴とする。
つまり、演奏者と対向する面の一部として設けられた振動板から放音するため、トーンエスケープを介して放音する必要がないので、音を効率良く奏者や聴衆に届けることができる。
しかも、楽器筐体にトーンエスケープを形成する必要がない。
【００１０】
また、この出願に係る発明の電子鍵盤楽器は、楽器筐体は、鍵盤を覆う鍵盤蓋を含んでおり、鍵盤蓋は後端を回動軸として開閉する構造であり、振動板が一部を構成する外装面は、鍵盤蓋が開いた状態において演奏者と対向する面であることを第４の特徴とする。
つまり、鍵盤蓋が開いた状態において演奏者と対向する面（鍵盤蓋の裏面）の一部として設けられた振動板から放音するため、トーンエスケープを介して放音する必要がないので、音を効率良く奏者に届けることができる。
しかも、楽器筐体にトーンエスケープを形成する必要がない。
【００１１】
また、この出願に係る発明の電子鍵盤楽器は、振動板は、外装面を薄肉に形成したものであることを第５の特徴とする。
つまり、楽器筐体の外装面の一部を利用して振動板を形成するため、外観上、振動板と楽器筐体の外装面との境界線が見えず、振動板の存在が全く分からないので、楽器の外観デザインを全く損なわない。
【００１２】
また、この出願に係る発明の電子鍵盤楽器は、外装面に開口部が形成されており、振動板が開口部を覆って設けられていることを第６の特徴とする。
したがって、振動板を外装面と異なる材料によって形成することができるため、その材料の選択によって音色を変えることができる。
【００１３】
また、この出願に係る発明の電子鍵盤楽器は、外装面は木材により形成されており、振動板は木材よりも音響インピーダンスが高い材料により形成されていることを第７の特徴とする。
したがって、振動板からリアルな音を放音することができる。
【００１４】
また、この出願に係る発明の電子鍵盤楽器は、振動板の表面が、その周囲と同じデザインの膜によって被覆されていることを第８の特徴とする。
したがって、外観上、振動板の存在が分かり難いため、楽器の外観デザインを損なわない。
【００１５】
また、この出願に係る発明の電子鍵盤楽器は、振動板の裏面には、振動板を跨いで取付部材が取付けられており、振動発生部は取付部材に取付けられていることを第９の特徴とする。
したがって、振動発生部の取付け部分における剛性を高めることができるため、振動発生部が発生した振動を振動板に効率良く伝導させることができるので、リアルな音を放音することができる。
【００１６】
また、この出願に係る発明の電子鍵盤楽器は、振動板は、高音域の音を放音することを第１０の特徴とする。
したがって、高音域の音を放音するスピーカを外付けしなくても、リアルな広がりのある高音域の音を放音することができる。
【発明の効果】
【００１７】
この出願に係る発明の電子鍵盤楽器を実施すれば、楽器全体のデザインを損なうことなく、リアルな音を放音することができる。
【図面の簡単な説明】
【００１８】
【図１】第１実施形態に係る電子鍵盤楽器の斜視図である。
【図２】図１に示す電子鍵盤楽器に取付けられた振動板の取付け構造を示す説明図である。
【図３】図２に示す振動板の取付け構造を裏面から見た説明図である。
【図４】図１に示す電子鍵盤楽器の主な電気的構成をブロックで示す説明図である。
【図５】第２実施形態に係る電子鍵盤楽器が鍵盤蓋を開いた状態を示す正面図である。
【図６】（ａ）は図５に示す電子鍵盤楽器の右側面図であり、（ｂ）は（ａ）に示す鍵盤蓋の拡大図である。
【発明を実施するための形態】
【００１９】
〈第１実施形態〉
［電子鍵盤楽器１の概略構成］
この発明の第１実施形態に係る電子鍵盤楽器１の概略構成について図１に基づいて説明する。図１は、この実施形態に係る電子鍵盤楽器１の斜視図である。なお、以下の説明では、電子鍵盤楽器１の奏者に近い方を前方または前部といい、その反対方向を後方または後部という。
【００２０】
電子鍵盤楽器１は、楽器筐体２と、楽器筐体２の前部に配置された鍵盤１１と、ソフトペダル１３と、マフラーペダル１４と、ダンパーペダル１５と、右振動板１６と、左振動板１７と、右スピーカ２２（図４）と、左スピーカ２３（図４）とを備える。楽器筐体２は、右親板３と、左親板４と、右脚５と、左脚６と、棚板７と、上前板８と、下前板９と、屋根板１０と、譜面台１２とを備える。右親板３、左親板４、右脚５、左脚６、棚板７、上前板８、下前板９、屋根板１０および譜面台１２のうち、外部から見える部分は、楽器筐体の外装面を構成する。以下、右振動板１６および左振動板１７に共通の事項を説明する場合は単に振動板ということもある。また、右スピーカ２２および左スピーカ２３に共通の事項を説明する場合は単にスピーカということもある。
【００２１】
楽器筐体２の右側に配置された右親板３と左側に配置された左親板４との間には、棚板７が取付けられており、その棚板７の上面には鍵盤１１が取付けられている。右親板３の前部には、右脚５が形成されており、左親板４の前部には左脚６が形成されている。右親板３と左親板４との間であって棚板７の下面後部には下前板９が取付けられている。下前板９の下部には、ソフトペダル１３と、マフラーペダル１４と、ダンパーペダル１５とが前方へ突出した形態で配置されている。右親板３と左親板４との間であって鍵盤１１の後方には上前板８が取付けられている。外装面である、上前板８の前面８ａは、電子鍵盤楽器１の正面にて演奏する奏者と対向している。上前板８の上部であって右親板３および左親板４の上端間には、屋根板１０が取付けられている。屋根板１０の中央には、譜面台１２が取付けられている。図１では、譜面台１２は、畳まれた状態になっているが、その下端を回動軸にして起立姿勢に変化させることができる。
屋根板１０において譜面台１２の右側には四角形の右振動板１６が設けられており、譜面台１２の左側には四角形の左振動板１７が設けられている。右振動板１６および左振動板１７は、それぞれ、外装面である、屋根板１０の上面１０ａの一部として設けられている。
【００２２】
［振動板の取付構造］
ここで、各振動板１６，１７の取付構造について図２および図３に基づいて説明する。
図２は、図１に示した電子鍵盤楽器１に取付けられた振動板の取付け構造を示す説明図であり、図３は、図２に示す振動板の取付け構造を裏面から見た説明図である。以下、右トランスデューサ１８および左トランスデューサ１９（図４）に共通の事項を説明する場合は単にトランスデューサということもある。
【００２３】
図２に示すように、外装面である、屋根板１０の上面１０ａの左方には、四角形の開口部１０ｂが貫通形成されており、その開口部１０ｂと上面１０ａとの間には、左振動板１７（図１）を取付けるための段部１０ｃが形成されている。段部１０ｃは、左振動板１７の厚さと一致する段差に形成されている。また、段部１０ｃの上端縁と屋根板１０の上面１０ａとの境界が描く形状は、左振動板１７の形状と一致した四角形であり、左振動板１７の外周壁が段部１０ｃの内周壁に収容されている。左振動板１７の四隅などの複数箇所には、右振動板１６が取付けられている皿ネジ２９と同じ皿ネジ２９を挿通するためのネジ挿通孔（図示省略）が貫通形成されており、そのネジ挿通孔の上縁周囲には、皿ネジ２９の頭部の形状と合致した凹部（図示省略）が形成されている。
【００２４】
左振動板１７は、各ネジ挿通孔に挿通された各皿ネジ２９を段部１０ｃの底壁にねじ込むことにより、開口部１０ｂを覆うように段部１０ｃに取付けられている。また、皿ネジ２９の頭部は上記凹部に収容されており、左振動板１７の上面から突出していない。このため、段部１０ｃに取付けられた左振動板１７の上面は、屋根板１０の上面１０ａと面一になっている。左振動板１７の上面は、屋根板１０の上面１０ａに施されたデザイン（色、色彩および模様など）と同じデザインの膜により被覆されており、左振動板１７の存在が外観上分かり難いように工夫されている。右振動板１６も左振動板１７と同じ取付構造により、屋根板１０の右方に取付けられており、その上面は上記のデザインの膜により被覆されている。各振動板１６，１７を被覆する膜は、塗装により形成しても良いし、樹脂製の膜を貼着することにより形成しても良い。
【００２５】
図３に示すように、屋根板１０の裏面１０ｄの右方（図３では左方）には、右振動板１６の裏面を跨ぐようにして金属製の取付ステー２０が固定されており、その取付ステー２０の上面には、右トランスデューサ１８が固定されている。右トランスデューサ１８には、特定の周波数帯域をカットするネットワーク回路（図示省略）が電気的に接続されており、そのネットワーク回路は、屋根板１０の裏面１０ｄに取付けられた接続ケーブル２１によってアンプ２６（図４）と電気的に接続されている。右トランスデューサ１８は、アンプ２６から供給される電気信号を振動に変換するアクチュエータであり、振動を発生する可動体を備える。右トランスデューサ１８は、進退動作する可動体の頭部が右振動板１６の裏面を叩くように取付ステー２０に固定されている。右トランスデューサ１８は、アンプ２６（図４）から供給される電気信号に応じて上記可動体を進退動作させ、右振動板１６を振動させる。これにより、右振動板１６から電気信号に応じた音が放音される。左振動板１７の裏面には、左トランスデューサ１９（図４）が、右トランスデューサ１８と同じ取付構造により取付けられており、左振動板１７は左トランスデューサ１９によって振動され、放音する。
【００２６】
この実施形態では、楽器筐体２は木材により形成されており、右振動板１６および左振動板１７は、木材よりも音響インピーダンスが高い材料、たとえば、鉄により、四角形に形成されており、屋根板１０や棚板７よりも薄肉の板状に形成されている。ここで、音響インピーダンスとは、空気を単位速度で振動させるために必要な圧力、いわゆる音に関する抵抗値であり、その大凡の値は、音速×材料の密度で求めることができる。音響インピーダンスが大きい材料ほど、振動によりリアルな高音を放音することができる。例えば、音響インピーダンスは、木材よりもガラスの方が大きく、さらに、ガラスよりも鉄などの金属の方が大きい。このため、この実施形態のように、鉄などの金属によって振動板を形成すれば、振動板からリアルな高音を放音することができる。
また、右トランスデューサ１８および左トランスデューサ１９は、磁石、ボイスコイルおよび可動体を備えるボイスコイル型のアクチュエータであり、加振器ともいう。また、右トランスデューサ１８および左トランスデューサ１９のカットオフ周波数は、それぞれ６，５００Ｈｚであり、アコースティックピアノの最高鍵の基音の４，０００Ｈｚよりも高く設定されており、両トランスデューサ１８，１９は、高音域の透明感や空気感を出すことができる。また、右スピーカ２２および左スピーカ２３（図４）は、それぞれフルレンジのスピーカであり、各振動板１６，１７は、高音域の音を放音するツイーターの役割をしている。
【００２７】
［電子鍵盤楽器の電気的構成］
次に、電子鍵盤楽器１の主な電気的構成について、それをブロックで示す図４に基づいて説明する。
【００２８】
電子鍵盤楽器１は、センサ２７と、音源データ記憶部２４と、電気信号発生部２５と、アンプ２６と、右スピーカ２２と、左スピーカ２３と、右トランスデューサ１８と、左トランスデューサ１９とを備える。センサ２７は、鍵盤１１の操作を検出し、その検出信号を電気信号発生部２５へ出力する。音源データ記憶部２４には、鍵盤１１の各鍵に対応する音を放音するための音源データであって、アコースティックピアノの各鍵を操作したときに実際に放音される音をサンプリングした音源データが読出し可能に記憶されている。電気信号発生部２５は、センサ２７から出力される検出信号に対応する音源データを音源データ記憶部２４から読出し、その読出した音源データを左右２チャンネルのアナログの電気信号に変換してアンプ２６へ出力する。アンプ２６は、電気信号発生部２５から出力される電気信号を増幅し、その増幅した右チャンネルの電気信号を右スピーカ２２および右トランスデューサ１８へ出力し、増幅した左チャンネルの電気信号を左スピーカ２３および左トランスデューサ１９へ出力する。
【００２９】
そして、右トランスデューサ１８は、アンプ２６から出力される右チャンネルの電気信号に応じて振動を発生させ、その振動を右振動板１６に裏面から伝達し、右振動板１６が振動して放音する。また、左トランスデューサ１９は、アンプ２６から出力される左チャンネルの電気信号に応じて振動を発生させ、その振動を左振動板１７に裏面から伝達し、左振動板１７が振動して放音する。
つまり、各トランスデューサ１８，１９は、アンプ２６から供給される電気信号に応じた振動を発生し、その振動を各振動板１６，１７にそれぞれ裏面から伝達する。そして、各振動板１６，１７がそれぞれ振動し、上記電気信号に応じた音をそれぞれ放音する。
【００３０】
［第１実施形態の効果］
（１）上述した第１実施形態の電子鍵盤楽器１を実施すれば、電気信号に応じた音を放音する各振動板１６，１７が、楽器筐体２の外装面を構成する、屋根板１０の上面１０ａの一部として設けられているため、楽器全体のデザインを損なうことなく、リアルな高音域の音を放音することができる。
しかも、各振動板１６，１７は面で振動するため、点音源と比較して音源からの距離に応じた音の減衰が少ないので、効率良く高音域の音を奏者や聴衆に届けることができる。
【００３１】
（２）しかも、外装面である、屋根板１０の上面１０ａから放音するため、広がりのある高音域の音を放音することができる。
しかも、楽器筐体２にトーンエスケープを形成する必要がない。
（３）さらに、各振動板１６，１７を楽器筐体２と異なる材料によって形成することができるため、その材料の選択によって音色を変えることができる。
【００３２】
（４）さらに、楽器筐体２の外装面は木材により形成されており、各振動板１６，１７は木材よりも音響インピーダンスが高い材料により形成されているため、各振動板１６，１７からリアルな高音域の音を放音することができる。
（５）さらに、各振動板１６，１７の表面が、その周囲と同じデザインの膜によって被覆されているため、各振動板１６，１７の存在が分かり難いので、楽器のデザインを損なわない。
【００３３】
（６）さらに、各振動板１６，１７の裏面には、振動板を跨いで金属製の取付ステー２０がそれぞれ固定されており、各トランスデューサ１８，１９はそれぞれ取付ステー２０に取付けられているため、
したがって、各トランスデューサ１８，１９の取付け部分における剛性を高めることができるため、各トランスデューサ１８，１９が発生した振動を各振動板１６，１７に効率良く伝導させることができるので、リアルな音を放音することができる。
（７）さらに、各振動板１６，１７は、高音域の音を放音することができるため、高音域の音を放音するスピーカを外付けしなくても、リアルな広がりのある高音域の音を放音することができる。
（８）上述したように、第１実施形態の電子鍵盤楽器１を実施すれば、楽器全体のデザインを損なうことなく、リアルな音を放音することができる。
【００３４】
〈第２実施形態〉
次に、この発明の第２実施形態について図１ないし図３に基づいて説明する。
この実施形態に係る電子鍵盤楽器１は、図１において破線で示すように、楽器筐体２のうち、外装面である、演奏者と対向するように配置された上前板８の前面８ａの一部として右振動板１６ａおよび左振動板１７ａが設けられていることを特徴とする。上前板８は、屋根板１０と比較して縦の長さが短いため、各振動板１６ａ，１７ａは、第１実施形態の各振動板１６，１７よりも縦が短い長方形に形成されている。各振動板１６ａ，１７ａの取付構造は、第１実施形態における取付構造と同じである。また、主な電気的構成も第１実施形態と同じである。
【００３５】
［第２実施形態の効果］
上述したように、第２実施形態の電子鍵盤楽器１を実施すれば、外装面である、演奏者と対向するように配置された上前板８の前面８ａの一部として設けられた各振動板１６ａ，１７ａから放音するため、トーンエスケープを介して放音する必要がないので、音を効率良く奏者や聴衆に届けることができる。
しかも、楽器筐体２にトーンエスケープを形成する必要がない。
【００３６】
〈第３実施形態〉
次に、この発明の第３実施形態について図５および図６に基づいて説明する。
図５は、この実施形態に係る電子鍵盤楽器１が鍵盤蓋２８を開いた状態を示す正面図である。図６（ａ）は図５に示す電子鍵盤楽器１の右側面図であり、（ｂ）は（ａ）に示す鍵盤蓋２８の拡大図である。
【００３７】
この実施形態に係る電子鍵盤楽器１は、各振動板１６ｂ，１７ｂを鍵盤蓋２８に設けたことを特徴とする。
図５に示すように、楽器筐体２は、鍵盤１１を覆う鍵盤蓋２８を備える。鍵盤蓋２８は後端を回動軸として開閉する構造であり、開放すると、その裏面２８ａが露出し、奏者と対向するように構成されている。外装面である、鍵盤蓋２８の裏面２８ａの右方には右振動板１６ｂが、左方には左振動板１７ｂがそれぞれ裏面２８ａの一部として設けられている。また、図６（ｂ）に示すように、右振動板１６ｂの裏面には右トランスデューサ１８ｂが取付ステー２０ｂを介して取付けられている。右トランスデューサ１８ｂには、ネットワーク回路（図示省略）が電気的に接続されており、そのネットワーク回路は、接続ケーブル２１ｂによってアンプ２６（図４）と電気的に接続されている。また、図示しないが、左振動板１７ｂの裏面には、左トランスデューサが取付ステーを介して取付けられている。左トランスデューサには、ネットワーク回路（図示省略）が電気的に接続されており、そのネットワーク回路は、接続ケーブルによってアンプ２６（図４）と電気的に接続されている。各トランスデューサ１８ｂ，１９ｂの取付構造および主な電気的構成は、第１実施形態の取付構造と同じである。
【００３８】
［第３実施形態の効果］
上述したように、第３実施形態の電子鍵盤楽器１を実施すれば、鍵盤蓋２８が開いた状態において奏者と対向する裏面２８ａの一部として設けられた各振動板１６ｂ，１７ｂから放音するため、トーンエスケープを介して放音する必要がないので、音を効率良く奏者や聴衆に届けることができる。
しかも、楽器筐体２にトーンエスケープを形成する必要がない。
【００３９】
〈他の実施形態〉
（１）屋根板１０の露出した上面１０ａのうち、第１実施形態の各振動板１６，１７に対応する領域をそれぞれ薄肉に形成し、その薄肉に形成した各領域をそれぞれ振動板として用いることもできる。また、上前板８の露出した前面８ａのうち、第２実施形態の各振動板１６ａ，１７ａに対応する領域をそれぞれ薄肉に形成し、その薄肉に形成した各領域をそれぞれ振動板として用いることもできる。つまり、楽器筐体２の外装面の一部を薄肉に形成し、その部分を振動板として用いることもできる。
これらのように、楽器筐体２の外装面の一部を利用して振動板を形成すれば、各振動板と楽器筐体２との境界線が見えないため、振動板の存在が全く分からないので、楽器のデザインを全く損なわない。
【００４０】
（２）第１実施形態において、屋根板１０の上面１０ａおよび各振動板１６，１７の上面を１つの膜で被覆し、各振動板１６，１７と上面１０ａとの境界線が出ないように構成することもできる。また、第２実施形態において、上前板８の前面８ａおよび各振動板１６ａ，１７ａの前面を１つの膜で被覆し、各振動板１６ａ，１７ａと前面８ａとの境界線が出ないように構成することもできる。
これらのように、各振動板１６，１７，１６ａ，１７ａとその周囲を１つの膜で被覆すれば、各振動板１６，１７，１６ａ，１７ａと楽器筐体２との境界線が隠され、振動板の存在が全く分からないため、楽器のデザインを損なわない。
【００４１】
（３）各振動板を下前板９（図１）の前面に一体的に設けることもできる。
また、譜面台１２を横長に形成し、その譜面台１２の前面に各振動板を一体的に設け、譜面台１２の内部に各トランスデューサを設けることもできる。この構成を実施すれば、譜面台を起立させた状態で各振動板から放音することができるため、楽器全体のデザインを損なうことなく、リアルな音を放音することができる。なお、譜面台１２は、楽譜が放音の障害とならないような大きさに形成し、各振動板を配置することが望ましい。
【００４２】
（４）各振動板が中高音域を放音するように構成することもできる。また、高音域用および中音域用の振動板を２個ずつ設けることもできる。また、各振動板は四角形以外の楕円形または円形などの形状に形成することもできる。さらに、各振動板を樹脂により形成することもできる。さらに、第１および第２実施形態において、各振動板を接着剤によって段部１０ｃに接着して取付けることもできる。さらに、段部１０ｃを形成しないで、振動板を開口部１０ｂと略同じ大きさに形成し、振動板を開口部１０ｂに嵌合することもできる。さらに、開口部１０ｂの内壁の複数箇所に凸部を形成し、その凸部に対応する凹部を振動板に形成し、振動板の各凹部を開口部の各凸部に嵌合することもできる。なお、開口部１０ｂに凹部を形成し、振動板に凸部を形成しても良い。
【００４３】
［特許請求の範囲との対応関係］
音源データ記憶部２４および電気信号発生部２５が請求項１に記載の音源に対応し、各トランスデューサ１８，１９，１８ｂが振動発生部に対応する。また、取付ステーが請求項９に記載の取付部材に対応する。
【符号の説明】
【００４４】
１    電子鍵盤楽器
２    楽器筐体
８    上前板
８ａ  前面
１０    屋根板
１０ａ  上面
１１    鍵盤
１６，１６ａ，１６ｂ    右振動板
１７，１７ａ，１７ｂ    左振動板
１８，１８ｂ    右トランスデューサ
１９    左トランスデューサ
２０，２０ｂ    取付ステー
２４    音源データ記憶部
２５    電気信号発生部
【図１】
2020016670.tif 000003
【図２】
2020016670.tif 000004
【図３】
2020016670.tif 000005
【図４】
2020016670.tif 000006
【図５】
2020016670.tif 000007
【図６】
2020016670.tif 000008